(57)【特許請求の範囲】
【請求項１】
（ａ）窒素含有反応物と、ここで、前記窒素含有反応物は、以下の構造によって表されるアルキルジアルカノールアミド：
【化１】
0006290907.tif 000017
ここで、Ｒは、６〜２２個の炭素原子を含み；
以下の構造によって表されるアルキルアルコキシル化アルカノールアミド：
【化２】
0006290907.tif 000018
ここで、Ｒ１は、分枝鎖又は直鎖、飽和又は不飽和Ｃ３〜Ｃ２１アルキル基であり、Ｒ２は、水素又はＣ１〜Ｃ２アルキル基又はその組み合わせであり、ｘは、１〜８であり；
以下の構造によって表されるアルコキシル化アルキルジアルカノールアミド：
【化３】
0006290907.tif 000019
ここで、Ｒ１及びＲ２は、前述の意味を有し、ｘは、１〜８であり；
以下の構造によって表されるアルキルアルカノールアミン：
【化４】
0006290907.tif 000020
ここで、Ｒ１及びＲ２は、前述の意味を有し、ｘは、０であり；
以下の構造によって表されるアルキルジアルカノールアミン：
【化５】
0006290907.tif 000021
ここで、Ｒ１及びＲ２は、前述の意味を有し、ｘは、０であり；
以下の構造によって表されるアルキルアルコキシル化アルカノールアミン：
【化６】
0006290907.tif 000022
ここで、Ｒ１及びＲ２は、前述の意味を有し、ｘは、１〜８であり；
以下の構造によって表されるアルキルアルコキシル化ジアルカノールアミン：
【化７】
0006290907.tif 000023
ここで、Ｒ１及びＲ２は、前述の意味を有し、１〜８であり；又はその混合物、及び前記窒素含有反応物は、グリセロールアルキルエステルの１０質量％未満を含み、
を含み、
（ｂ）ホウ素の源と、
（ｃ）少なくとも３個の水酸基を有するヒドロカルビルポリオール、
との反応生成物を含む潤滑油添加剤組成物であって、
ここで、ヒドロカルビルポリオールは、式ＩＩＩ、ＩＶ又はＶの構造：
【化８】
0006290907.tif 000024
【化９】
0006290907.tif 000025
【化１０】
0006290907.tif 000026
ここで、前記窒素含有反応物、ホウ素の源、及びヒドロカルビルポリオールのモル比は、それぞれ１：０．２：０．２〜１：２．５：２．５である、上記潤滑油添加剤組成物。
【請求項２】
前記窒素含有反応物が、以下の構造によって表されるビス−エトキシアルキルミン：
【化１１】
0006290907.tif 000027
ここで、Ｒ１は、分枝鎖又は直鎖、飽和又は不飽和Ｃ３〜Ｃ２１アルキル基であり、Ｒ２は、Ｃ２アルキル基であり、ｘは１〜８であり；又は
以下の構造によって表されるビス−エトキシアルキルアミド：
【化１２】
0006290907.tif 000028
ここで、Ｒ１は、分枝鎖又は直鎖、飽和又は不飽和Ｃ３〜Ｃ２１アルキル基であり、Ｒ２は、Ｃ２アルキル基であり、ｘは１〜８である、
を含む、請求項１に記載の潤滑油添加剤組成物。
【請求項３】
前記ビス−エトキシアルキルアミン中のアルキル基が、オレイル、ドデシル、又は２−エチルヘキシルを含む、請求項２に記載の潤滑油添加剤組成物。
【請求項４】
前記ビス−エトキシアルキルアミド中のアルキル基がヤシ油から誘導されたものである、請求項２に記載の潤滑油添加剤組成物。
【請求項５】
前記ホウ素の源がホウ酸である、請求項１に記載の潤滑油添加剤組成物。
【請求項６】
前記ヒドロカルビルポリオールがグリセロール又はペンタエリトリトールを含む、請求項１に記載の潤滑油添加剤組成物。
【請求項７】
Ａ．成分中最大の量の潤滑粘度の油及び
Ｂ．（ｉ）窒素含有反応物と、ここで、前記窒素含有化合物は、以下の構造によって表されるアルキルジアルカノールアミド：
【化１３】
0006290907.tif 000029
ここで、Ｒは、６〜２２個の炭素原子を含み；
以下の構造によって表されるアルキルアルコキシル化アルカノールアミド：
【化１４】
0006290907.tif 000030
ここで、Ｒ１は、分枝鎖又は直鎖、飽和又は不飽和Ｃ３〜Ｃ２１アルキル基であり、Ｒ２は、水素またはＣ１〜Ｃ２アルキル基又はその組み合わせであり、ｘは１〜８であり；
以下の構造によって表されるアルコキシル化アルキルジアルカノールアミド：
【化１５】
0006290907.tif 000031
ここで、Ｒ１及びＲ２は、前述の意味を有し、ｘは、１〜８であり；
以下の構造によって表されるアルキルアルカノールアミン：
【化１６】
0006290907.tif 000032
ここで、Ｒ１及びＲ２は、前述の意味を有し、ｘは、０であり；
以下の構造によって表されるアルキルジアルカノールアミン：
【化１７】
0006290907.tif 000033
ここで、Ｒ１及びＲ２は、前述の意味を有し、ｘは、０であり；
以下の構造によって表されるアルキルアルコキシル化アルカノールアミン：
【化１８】
0006290907.tif 000034
ここで、Ｒ１及びＲ２は、前述の意味を有し、ｘは、１〜８であり；
以下の構造によって表されるアルキルアルコキシル化ジアルカノールアミン：
【化１９】
0006290907.tif 000035
ここで、Ｒ１及びＲ２は、前述の意味を有し、ｘは、１〜８であり；又はその混合物、及び前記窒素含有反応物は、グリセロールアルキルエステルの１０質量％未満を含み、
を含み、
（ｉｉ）ホウ素の源と、
（ｉｉｉ）少なくとも３個の水酸基を有するヒドロカルビルポリオールと
の反応生成物を含む潤滑油添加剤組成物であって、ここで、ヒドロカルビルポリオールは、式ＩＩＩ、ＩＶ又はＶの構造：
【化２０】
0006290907.tif 000036
【化２１】
0006290907.tif 000037
【化２２】
0006290907.tif 000038
を有し、
ここで、前記窒素含有反応物、ホウ素の源、及びヒドロカルビルポリオールのモル比は、それぞれ１：０．２：０．２〜１：２．５：２．５である、
を含む潤滑油組成物。
【請求項８】
前記窒素含有反応物が、以下の構造によって表されるビス−エトキシアルキルアミン：
【化２３】
0006290907.tif 000039
ここで、Ｒ１は、分枝鎖又は直鎖、飽和又は不飽和Ｃ３〜Ｃ２１アルキル基であり、Ｒ２は、Ｃ２アルキル基であり、ｘは１〜８であり；又は
以下の構造によって表されるビス−エトキシアルキルアミド：
【化２４】
0006290907.tif 000040
ここで、Ｒ１は、分枝鎖又は直鎖、飽和又は不飽和Ｃ３〜Ｃ２１アルキル基であり、Ｒ２は、Ｃ２アルキル基であり、ｘは、１〜８である、
である、請求項７に記載の潤滑油組成物。
【請求項９】
前記ビス−エトキシアルキルアミン中のアルキル基が、オレイル、ドデシル、又は２−エチルヘキシルを含む、請求項８に記載の潤滑油組成物。
【請求項１０】
前記ビス−エトキシアルキルアミド中のアルキル基がヤシ油から誘導されたものである、請求項８に記載の潤滑油組成物。
【請求項１１】
前記ホウ素の源がホウ酸を含む、請求項７に記載の潤滑油組成物。
【請求項１２】
前記ヒドロカルビルポリオールがグリセロール又はペンタエリトリトールを含む、請求項７に記載の潤滑油組成物。
【請求項１３】
内燃機関において摩擦を低減させるための方法であって、請求項７に記載の潤滑油組成物を含む潤滑油組成物で前記機関を潤滑させることを含む方法。
【請求項１４】
９０重量％から１０重量％までの有機液体希釈剤及び１０重量％から９０重量％までの請求項１に記載の潤滑油添加剤組成物を含む潤滑油添加剤濃縮物。
【請求項１５】
潤滑油添加剤組成物を調製する方法であって、
（ａ）窒素含有反応物と、ここで、前記窒素含有化合物は、以下の構造によって表されるアルキルジアルカノールアミド：
【化２５】
0006290907.tif 000041
ここで、Ｒは、６〜２２個の炭素原子を含み；
以下の構造によって表されるアルキルアルコキシル化アルカノールアミド：
【化２６】
0006290907.tif 000042
ここで、Ｒ１は、分枝鎖又は直鎖、飽和又は不飽和Ｃ３〜Ｃ２１アルキル基であり、Ｒ２は、水素又はＣ１〜Ｃ２アルキル基又はその組み合わせであり、ｘは１〜８であり；
以下の構造によって表されるアルコキシル化アルキルジアルカノールアミド：
【化２７】
0006290907.tif 000043
ここで、Ｒ１及びＲ２は、前述の意味を有し、ｘは、１〜８であり；
以下の構造によって表されるアルキルアルカノールアミン：
【化２８】
0006290907.tif 000044
ここで、Ｒ１及びＲ２は、前述の意味を有し、ｘは、０であり；
以下の構造によって表されるアルキルジアルカノールアミン：
【化２９】
0006290907.tif 000045
ここで、Ｒ１及びＲ２は、前述の意味を有し、ｘは、０であり；
以下の構造によって表されるアルキルアルコキシル化アルカノールアミン：
【化３０】
0006290907.tif 000046
ここで、Ｒ１及びＲ２は、前述の意味を有し、ｘは、１〜８であり；
以下の構造によって表されるアルキルアルコキシル化ジアルカノールアミン：
【化３１】
0006290907.tif 000047
ここで、Ｒ１及びＲ２は、前述の意味を有し、ｘは、１〜８であり；又はその混合物、および前記窒素含有反応物は、グリセロールアルキルエステルの１０質量％未満を含み、
を含み、
（ｂ）ホウ素の源と、
（ｃ）少なくとも３個の水酸基を有するヒドロカルビルポリオールと
を反応させることを含み、ここで、ヒドロカルビルポリオールは、式ＩＩＩ、ＩＶ又はＶの構造：
【化３２】
0006290907.tif 000048
【化３３】
0006290907.tif 000049
【化３４】
0006290907.tif 000050
を有し、
ここで、前記窒素含有反応物、ホウ素の源、及びヒドロカルビルポリオールのモル比は、それぞれ１：０．２：０．２〜１：２．５：２．５である、
を有する、上記方法。
【請求項１６】
前記窒素含有反応物が、以下の構造によって表されるビス−エトキシアルキルアミン：
【化３５】
0006290907.tif 000051
ここで、Ｒ１は、分枝鎖又は直鎖、飽和又は不飽和Ｃ３〜Ｃ２１アルキル基であり、Ｒ２は、Ｃ２アルキル基であり、ｘは１〜８であり；又は
以下の構造によって表されるビス−エトキシアルキルアミド：
【化３６】
0006290907.tif 000052
ここで、Ｒ１は、分枝鎖又は直鎖、飽和又は不飽和Ｃ３〜Ｃ２１アルキル基であり、Ｒ２は、Ｃ２アルキル基であり、ｘは、１〜８である、
である、請求項１５に記載の方法。
【請求項１７】
前記ビス−エトキシアルキルアミン中のアルキル基が、オレイル、ドデシル、又は２−エチルヘキシルを含む、請求項１６に記載の方法。
【請求項１８】
前記ビス−エトキシアルキルアミド中のアルキル基がヤシ油から誘導されたものである、請求項１６に記載の方法。
【請求項１９】
前記ホウ素の源がホウ酸を含む、請求項１５に記載の方法。
【請求項２０】
前記ヒドロカルビルポリオールがグリセロール又はペンタエリトリトールを含む、請求項１５に記載の方法。
【発明の詳細な説明】
【技術分野】
【０００１】
本発明は、新規な潤滑油添加剤及び、その新規な潤滑油添加剤を含む潤滑油組成物に関する。より具体的には、本発明は、少なくとも３個の水酸基を有するヒドロカルビルポリオールと共ホウ酸化された（ｃｏ−ｂｏｒａｔｅｄ）窒素含有反応物を含む摩擦低減成分を含有する潤滑油組成物を有する乗用車エンジン及びヘビーデューティーディーゼルエンジンに関する。
【背景技術】
【０００２】
乗用車モーター油中に使用される摩擦調整剤の領域においては、多数の選択肢がある。エンジン油摩擦調整剤として利用可能な多数の選択肢のうちの１つは、摩擦調整剤として長年使用されてきた、ビス−エトキシオレイルアミンである。
【０００３】
最近まで、ディーゼルエンジン油配合者は、潤滑剤及びそれを使用するエンジンの耐用年数を最大化するという問題に焦点を絞ってきた。これは、摩耗防止剤及び抗酸化剤の助けを借りてなされてきた。配合者は、燃料節約を最大化する目的にエンジン油の特徴を合わせることにあまり時間を費やしてこなかった。
【０００４】
ディーゼルエンジンの燃料節約の改善に対する最近の関心には、数多くの要因が寄与してきた。地球気候変動法は、徐々にではあるが着実に、ディーゼルエンジンからの排出に制限を課してきた。さらに、原油価格が２００８年に急騰した。突然に、多くのトラック会社では、単独最大経費として燃料コストが労働コストに取って代わった。原油価格は、２００８年に１バレル１４５ドルの最高値をつけてからは大幅に下落したものの、燃料節約は、ＯＥＭ、ディーゼルエンジン所有者及びディーゼルエンジン油製造者にとって、一重要課題として確立されたものである。
【０００５】
乗用車エンジンにおいて用いられる燃料節約と並行する方法でのヘビーデューティディーゼルエンジンにおける燃料節約への取組みは、最良の戦略ではないことが証明された。乗用車エンジン油中で成功裏に使用された摩擦調整剤は、ディーゼルエンジンにおいて残念な結果を示した。油の粘度を低減させることによる摩擦の低減は、摩耗問題につながった。明らかに、ディーゼルエンジンにおける燃料節約の問題に取り組むには、新規なアプローチが必要である。
【０００６】
乗用車及びヘビーデューティディーゼルエンジン油の両方において機能するように設計された新規な有機摩擦調整剤（ＯＦＭ）が出現し始めた。摩擦低減における目覚ましい利益が、新種のビス−エトキシアルキルアミン／アミドの混合ホウ酸エステルで見られている。こうした利益が、ベンチ及びエンジン試験の両方を通して実証された。
【０００７】
Ｍａｌｅｃ、米国特許第４，２３１，８８３号は、摩擦調整剤としてのアルコキシル化ヒドロカルビルアミンの使用を教示している。
【０００８】
Ｃｈｉｅｎ−Ｗｅｉら、米国特許第３，０１１，８８０号は、沈着物に対する耐性及び低温運転性を向上させるための燃料添加剤としての、ビスアルコキシル化ヒドロカルビルアミドのホウ酸エステルの使用を教示している。
【０００９】
Ｃｏｌｏｍｂｏ、ＥＰ３９３７４８は、潤滑剤における摩擦調整剤及び抗腐食剤としての、モノ及びビス−エトキシル化アルキルアミドのホウ酸エステルの使用を教示している。
【００１０】
Ｐａｐａｙら、米国特許第４，３３１，５４５号は、潤滑剤及び燃料の両方用の摩擦調整剤としての、モノエトキシル化ヒドロカルビルアミドのホウ酸エステルの使用を教示している。多価アルコール及びアルキルアルコールの混合ホウ酸エステルが記載されている。
【００１１】
Ｈｏｒｏｄｙｓｋｙ、米国特許第４，３８２，００６号は、潤滑剤用の摩擦調整剤としての、ビス−エトキシル化アルキルアミンのホウ酸エステルの使用を教示している。ホウ酸エステルの例は、ブタノールとの混合エステルである。
【００１２】
Ｈｏｒｏｄｙｓｋｙ、米国特許第４，３８９，３２２号は、潤滑剤用の摩擦調整剤としての、ビス−エトキシル化アルキルアミドのホウ酸エステルの使用を教示している。ホウ酸エステルの例は、ブタノールとの混合エステルである。
【００１３】
Ｈｏｒｏｄｙｓｋｙら、米国特許第４，４０６，８０２号は、潤滑剤における摩擦調整剤としての、ビス−アルコキシル化アルキルアミン、ビス−アルコキシル化アルキルアミド及びアルコールヒドロキシエステルを含む化合物の混合ホウ酸エステルの使用を教示している。
【００１４】
Ｈｏｒｏｄｙｓｋｙら、米国特許第４，４７８，７３２号は、潤滑剤における摩擦調整剤としての、ビス−アルコキシル化アルキルアミン、ビス−アルコキシル化アルキルアミド及びアルコールヒドロキシエステルを含む化合物の混合ホウ酸エステルの使用を教示している。
【００１５】
Ｙａｓｕｓｈｉ、ＪＰ２００５３２０４４１は、低硫黄配合物における耐摩耗添加剤としての、グリセロールモノエステル及びビス−エトキシル化アルキルアミドの混合ホウ酸エステルの使用を教示している。
【００１６】
これまでに記載された潤滑剤のいずれにも、少なくとも３個の水酸基を有するヒドロカルビルポリオールを配合した混合ホウ酸エステルを用いて、ディーゼルエンジン油における摩擦調整の問題に取り組んでいるものはない。
【発明の概要】
【課題を解決するための手段】
【００１７】
本発明の一実施形態は、（ａ）アルキルアルカノールアミド、アルキルアルコキシル化アルカノールアミド、アルキルアルカノールアミン、アルキルアルコキシル化アルカノールアミン又はこれらの混合物を含み、１０質量パーセント未満のグリセロールアルキルエステルを含有する窒素含有反応物と；（ｂ）ホウ素の源と；（ｃ）少なくとも３個の水酸基を有するヒドロカルビルポリオールとの反応生成物を含む潤滑油添加剤組成物に関する。
【００１８】
本発明の一実施形態は、（Ａ）成分中最大の量の潤滑粘度の油及び（Ｂ）（ｉ）アルキルアルカノールアミド、アルキルアルコキシル化アルカノールアミド、アルキルアルカノールアミン、アルキルアルコキシル化アルカノールアミン又はこれらの混合物を含み、１０質量パーセント未満のグリセロールアルキルエステルを含有する窒素含有反応物と、（ｉｉ）ホウ素の源と、（ｉｉｉ）少なくとも３個の水酸基を有するヒドロカルビルポリオールとの反応生成物を含む潤滑油添加剤組成物を含む潤滑油組成物に関する。
【００１９】
本発明の一実施形態は、内燃機関において摩擦を低減させるための方法であって、（Ａ）成分中最大の量の潤滑粘度の油及び（Ｂ）（ｉ）アルキルアルカノールアミド、アルキルアルコキシル化アルカノールアミド、アルキルアルカノールアミン、アルキルアルコキシル化アルカノールアミン又はこれらの混合物を含み、１０質量パーセント未満のグリセロールアルキルエステルを含有する窒素含有反応物と、（ｉｉ）ホウ素の源と、（ｉｉｉ）少なくとも３個の水酸基を有するヒドロカルビルポリオールとの反応生成物を含む潤滑油添加剤組成物を含む潤滑油組成物を含む潤滑油組成物で前記機関を潤滑させることを含む方法に関する。
【００２０】
本発明の一実施形態は、約９０重量％から約１０重量％までの有機液体希釈剤及び約１０重量％から約９０重量％までの、（ａ）アルキルアルカノールアミド、アルキルアルコキシル化アルカノールアミド、アルキルアルカノールアミン、アルキルアルコキシル化アルカノールアミン又はこれらの混合物を含み、１０質量パーセント未満のグリセロールアルキルエステルを含有する窒素含有反応物と；（ｂ）ホウ素の源と；（ｃ）少なくとも３個の水酸基を有するヒドロカルビルポリオールとの反応生成物を含む潤滑油添加剤組成物を含む潤滑油添加剤濃縮物に関する。
【００２１】
本発明の一実施形態は、（ａ）アルキルアルカノールアミド、アルキルアルコキシル化アルカノールアミド、アルキルアルカノールアミン、アルキルアルコキシル化アルカノールアミン又はこれらの混合物を含み、１０質量パーセント未満のグリセロールアルキルエステルを含有する窒素含有反応物と；（ｂ）ホウ素の源と；（ｃ）少なくとも３個の水酸基を有するヒドロカルビルポリオールとを反応させることを含む、潤滑油添加剤組成物を調製する方法に関する。
【発明を実施するための形態】
【００２２】
本発明は多様な変更形態及び代替形態が可能であるものの、その具体的な実施形態を本明細書においてより詳細に説明する。しかしながら、本明細書における具体的な実施形態の説明は、開示した特定の形態に本発明を限定することを意図するものではなく、反対に、添付の特許請求の範囲により規定される本発明の趣旨及び範囲内にある全ての変更形態、等価物及び代替物を包含することを意図することが、理解されるべきである。
【００２３】
定義
以下の用語は明細書を通して使用され、特段の指示がない限り以下の意味を有するものとする。
【００２４】
「ポリアミン」という用語は、複数の塩基性窒素を含有する有機化合物をいう。化合物の有機部分は、脂肪族、環状、又は芳香族炭素原子を含有し得る。
【００２５】
「ポリアルキレンアミン」又は「ポリアルキレンポリアミン」という用語は、一般式
Ｈ２Ｎ（−Ｒ−ＮＨ）ｎ−Ｈ
（式中、Ｒはアルキレン基であり、好ましくは２〜３個の炭素原子を有し、ｎは約１から１１までの整数である）
により表される化合物をいう。
【００２６】
「アミド」又は「ポリアミド」という用語は、カルボン酸、カルボン酸塩、カルボン酸無水物、又はカルボン酸エステルと、ポリアミンを含むアミンとの反応生成物をいう。
【００２７】
「カルボン酸成分」という用語は、カルボン酸、カルボン酸塩、カルボン酸無水物、カルボン酸エステルをいう。
【００２８】
潤滑油添加剤
一実施形態では、潤滑油添加剤は、窒素含有反応物、例えばアルキルアルカノールアミド、アルコキシル化アルキルアルカノールアミド、アルキルアルカノールアミン、アルコキシル化アルキルアルカノールアミンなどと；ホウ素含有成分、例えばホウ酸などと；少なくとも３個の水酸基を有するヒドロカルビルポリオールとの反応生成物である。
【００２９】
窒素含有反応物
アルカノールアミド
一実施形態では、窒素含有反応物は、アルキルモノアルカノールアミド又はアルキルジアルカノールアミドである。そのようなアルキルモノアルカノールアミド及びアルキルジアルカノールアミドには、ヤシ油から誘導されたモノエタノールアミド又はココモノエタノールアミド、ヤシ油から誘導されたジエタノールアミド、ラウリン酸ミリスチン酸ジエタノールアミド、ラウリン酸モノエタノールアミド、ラウリン酸ジエタノールアミド及びラウリン酸モノイソプロパノールアミドが含まれるが、これらに限定されるものではない。典型的には、ヤシ油中のアルキル基は、カプリリル、カプリル、ラウリル、ミリスチル、パルミチル、ステアリル、オレイル及びリノレイル基の混合基を含む。
【００３０】
典型的には、アルキルモノアルカノールアミド及びアルキルジアルカノールアミドは、カルボン酸及びエステルを、モノアルカノールアミン及びジアルカノールアミンと反応させることにより調製される。アルキルモノ−及びジ−アルカノールアミドは、個々のＣ８〜Ｃ１８カルボン酸、例えばミリストレイン酸、パルミトレイン酸、オレイン酸、リノレン酸、カプロン酸、カプリル酸、カプリン酸、ラウリン酸、ミリスチン酸、パルミチン酸、ステアリン酸、アラキジン酸、ベヘン酸、リグノセリン酸など、又はこれらのメチルエステル、例えば、デカノイル、ラウリル、ミリスチル、パルミチル、ステアリル、及びオレイルのエステル、又は動物脂肪若しくは植物油、すなわち、獣脂、ヤシ油、パーム油、パーム核油、魚油等から誘導されたアルキルの混合物から調製することができる。これらを、例えば、モノエタノールアミン、モノ−ｎ−プロパノールアミン、モノイソプロパノールアミン、ジアルカノールアミン、ジグリコールアミン（２−（２−アミノエトキシ）エタノール）、３−ヒドロキシ−１−アミノ−ブタン、４−ヒドロキシ−１−アミノブタン、アミノ−シクロヘキサノールなどの多種多様なアルカノールアミンと容易に反応させて、所望のアルキルアルカノールアミドを生成することができる。アルキルアルカノールアミドは、米国特許第４，０８５，１２６号；米国特許第４，１１６，９８６号において記載された方法を含むが、これらに限定されるものではない、当該技術分野において周知の方法にしたがって調製することができる。
【００３１】
一実施形態では、窒素含有反応物は次の構造を有するアルキルアルカノールアミドである：
【化１】
0006290907.tif 000002
式中、Ｒは６から２２個の炭素原子を含み；好ましくは、Ｒは約８から約１８個までの炭素原子を含み；より好ましくは、Ｒは１２個の炭素原子を含む。
【００３２】
一実施形態では、窒素含有反応物は、以下の構造を有するアルキルジアルカノールアミドである：
【化２】
0006290907.tif 000003
式中、Ｒは６から２２個の炭素原子を含み；好ましくは、Ｒは約８から約１８個までの炭素原子を含み；より好ましくは、Ｒは１２個の炭素原子を含む。
【００３３】
一実施形態では、窒素含有反応物は、アルコキシル化アルキルアルカノールアミドである。アルコキシル化部分は、エトキシル化、プロポキシル化、ブトキシル化などであってもよい。
【００３４】
アルコキシル化アルキルアルカノールアミドのアルキル部分は、好ましくは分枝鎖若しくは直鎖の、３から２１個の炭素原子を含有する、より好ましくは８から１８個の炭素原子を含有するアルキル若しくはアルケニル基、又はこれらの組合せである。アルコキシ部分は、エトキシ、プロポキシ、若しくはブトキシ基、又はこれらの組合せであってもよい。好ましい一実施形態では、プロポキシル化アルキルアルカノールアミド、より好ましくはプロポキシル化アルキルエタノールアミドが使用される。
【００３５】
以下の構造により表されるアルコキシル化アルキルアルカノールアミド：
【化３】
0006290907.tif 000004
式中、Ｒ１は、分枝鎖若しくは直鎖の、飽和若しくは不飽和Ｃ３〜Ｃ２１アルキル基、好ましくはＣ８〜Ｃ１８アルキル基、又はこれらの組合せであり；Ｒ２は、水素、若しくはＣ１〜Ｃ２アルキル基又はこれらの組合せであり、好ましくはＲ２は水素又はＣ１アルキル基のいずれかであり；ｘは、約１から約８まで、好ましくは約１から約５まで、より好ましくは約１から約３までである。
【００３６】
有用なアルコキシル化アルキルアルカノールアミドの例には、ポリオキシプロピレン−、ポリオキシブチレン−アルキルエタノールアミド又はアルキルイソプロパノールアミドが含まれる。アルコキシル化アルキルエタノールアミドが好ましく、特にプロポキシル化アルキルエタノールアミドが好ましい。アルキルエタノールアミド部分は、好ましくはアルキルモノエタノールアミドであり、より好ましくはラウリン酸モノエタノールアミド、カプリン酸モノエタノールアミド、カプリル酸モノエタノールアミド、カプリル酸／カプリン酸モノエタノールアミド、デカン酸モノエタノールアミド、ミリスチン酸モノエタノールアミド、パルミチン酸モノエタノールアミド、ステアリン酸モノエタノールアミド、イソステアリン酸モノエタノールアミド、オレイン酸モノエタノールアミド、リノール酸モノエタノールアミド、オクチルデカン酸モノエタノールアミド、２−ヘプチルウンデカン酸モノエタノールアミド、ヤシ油から誘導されたアルキルモノエタノールアミド、牛脂から誘導されたアルキルモノエタノールアミド、大豆油から誘導されたアルキルモノエタノールアミド、及びパーム核油から誘導されたアルキルモノエタノールアミドから誘導される。これらのうち、カプリン酸、リノール酸、ステアリン酸、イソステアリン酸系、及び大豆油又はヤシ油から誘導されたものが好ましい。
【００３７】
好ましいプロポキシル化脂肪酸エタノールアミドには、プロポキシル化ヒドロキシエチルカプリルアミド、プロポキシル化ヒドロキシエチルコカミド、プロポキシル化ヒドロキシエチルリノールアミド、プロポキシル化ヒドロキシエチルイソステアラミド、及びこれらの組合せが含まれる。プロポキシル化ヒドロキシエチルコカミドがより好ましい。好ましい具体的な物質は、ＰＰＧ−１ヒドロキシエチルカプリルアミド、ＰＰＧ−２ヒドロキシエチルコカミド、ＰＰＧ−３ヒドロキシエチルリノールアミド、ＰＰＧ−２ヒドロキシエチルイソステアラミド、及びこれらの組合せである。ＰＰＧ−２ヒドロキシエチルコカミドが特に好ましい。
【００３８】
代替的な一実施形態では、アルコキシル化アルキルイソプロパノールアミドが使用される。アルキルイソプロパノールアミド部分は、好ましくはアルキルモノイソプロパノールアミドであり、より好ましくは、ラウリン酸モノイソプロパノールアミド、カプリン酸モノイソプロパノールアミド、カプリル酸モノイソプロパノールアミド、カプリル酸／カプリン酸モノイソプロパノールアミド、デカン酸モノイソプロパノールアミド、ミリスチン酸モノイソプロパノールアミド、パルミチン酸モノイソプロパノールアミド、ステアリン酸モノイソプロパノールアミド、イソステアリン酸モノイソプロパノールアミド、オレイン酸モノイソプロパノールアミド、リノール酸モノイソプロパノールアミド、オクチルデカン酸モノイソプロパノールアミド、２−ヘプチルウンデカン酸モノイソプロパノールアミド、ヤシ油から誘導されたアルキルモノイソプロパノールアミド、牛脂から誘導されたアルキルモノイソプロパノールアミド、大豆油から誘導されたモノイソプロパノールアミド、及びパーム核油から誘導されたアルキルモノイソプロパノールアミドから誘導される。
【００３９】
以下の構造により表されるアルコキシル化アルキルジアルカノールアミド：
【化４】
0006290907.tif 000005
式中、Ｒ１は分枝鎖若しくは直鎖の、飽和若しくは不飽和Ｃ３〜Ｃ２１アルキル基、好ましくはＣ８〜Ｃ１８アルキル基、又はこれらの組合せであり；Ｒ２は水素若しくはＣ１〜Ｃ２アルキル基又はこれらの組合せであり、好ましくはＲ２は水素又はＣ１アルキル基であり；ｘは約１から約８まで、好ましくは約１から約５まで、より好ましくは約１から約３までである。
【００４０】
有用なアルコキシル化アルキルジアルカノールアミドの例には、ポリオキシプロピレン−、ポリオキシブチレン−アルキルジエタノールアミド又はアルキルジイソプロパノールアミドが含まれる。アルコキシル化アルキルジエタノールアミドが好ましく、プロポキシル化アルキルジエタノールアミドが特に好ましい。アルキルジエタノールアミド部分は、好ましくはアルキルジエタノールアミドであり、より好ましくは、ラウリン酸ジエタノールアミド、カプリン酸ジエタノールアミド、カプリル酸ジエタノールアミド、カプリル酸／カプリン酸ジエタノールアミド、デカン酸ジエタノールアミド、ミリスチン酸ジエタノールアミド、パルミチン酸ジエタノールアミド、ステアリン酸ジエタノールアミド、イソステアリン酸ジエタノールアミド、オレイン酸ジエタノールアミド、リノール酸ジエタノールアミド、オクチルデカン酸ジエタノールアミド、２−ヘプチルウンデカン酸ジエタノールアミド、ヤシ油から誘導されたアルキルジエタノールアミド、牛脂から誘導されたアルキルジエタノールアミド、大豆油から誘導されたアルキルジエタノールアミド、及びパーム核油から誘導されたアルキルジエタノールアミドから誘導される。これらのうち、カプリン酸、リノール酸、ステアリン酸、イソステアリン酸系、及び大豆油又はヤシ油から誘導されたものが好ましい。
【００４１】
好ましいプロポキシル化脂肪酸ジエタノールアミドには、プロポキシル化ビスエトキシカプリルアミド、プロポキシル化ビスエトキシコカミド、プロポキシル化ビスエトキシリノールアミド、プロポキシル化ビスエトキシイソステアラミド、及びこれらの組合せが含まれる。プロポキシル化ビスエトキシコカミドがより好ましい。好ましい具体的な物質は、ＰＰＧ−１ビスエトキシカプリルアミド、ＰＰＧ−２ビスエトキシコカミド、ＰＰＧ−３ビスエトキシリノールアミド、ＰＰＧ−２ビスエトキシイソステアラミド、及びこれらの組合せである。ＰＰＧ−２ビスエトキシコカミドが特に好ましい。
【００４２】
代替的な一実施形態では、アルコキシル化アルキルジイソプロパノールアミドが使用される。アルキルイソプロパノールアミド部分は、好ましくはアルキルジイソプロパノールアミドであり、より好ましくはラウリン酸ジイソプロパノールアミド、カプリン酸ジイソプロパノールアミド、カプリル酸ジイソプロパノールアミド、カプリル酸／カプリン酸ジイソプロパノールアミド、デカン酸ジイソプロパノールアミド、ミリスチン酸ジイソプロパノールアミド、パルミチン酸ジイソプロパノールアミド、ステアリン酸ジイソプロパノールアミド、イソステアリン酸ジイソプロパノールアミド、オレイン酸ジイソプロパノールアミド、リノール酸ジイソプロパノールアミド、オクチルデカン酸ジイソプロパノールアミド、２−ヘプチルウンデカン酸ジイソプロパノールアミド、ヤシ油から誘導されたアルキルジイソプロパノールアミド、牛脂から誘導されたアルキルジイソプロパノールアミド、大豆油から誘導されたジイソプロパノールアミド、及びパーム核油から誘導されたアルキルジイソプロパノールアミドから誘導される。
【００４３】
アルカノールアミン
一実施形態では、窒素含有反応物は、以下の構造の１つを有するアルキルアルカノールアミンである：
【化５】
0006290907.tif 000006
式中、Ｒ１は分枝鎖若しくは直鎖の、飽和若しくは不飽和Ｃ３〜Ｃ２１アルキル基、好ましくはＣ８〜Ｃ１８アルキル基、又はこれらの組合せであり；Ｒ２は水素若しくはＣ１〜Ｃ２アルキル基又はこれらの組合せであり、好ましくはＲ２は水素又はＣ１アルキル基であり；ｘは約１から約８まで、好ましくは約１から約５まで、より好ましくは約１から約３までである。
【００４４】
一実施形態では、窒素含有反応物は、アルキルモノアルカノールアミン又はアルキルジアルカノールアミンである。そのようなアルキルモノアルカノールアミン及びアルキルジアルカノールアミンには、ヤシ油から誘導されたモノエタノールアミン又はココモノエタノールアミン、ヤシ油から誘導されたジエタノールアミン、ラウリン酸ミリスチン酸ジエタノールアミン、ラウリン酸モノエタノールアミン、ラウリン酸ジエタノールアミン及びラウリン酸モノイソプロパノールアミンが含まれるが、これらに限定されるものではない。典型的には、ヤシ油中のアルキル基は、カプリリル、カプリル、ラウリル、ミリスチル、パルミチル、ステアリル、オレイル及びリノレイル基の混合基を含む。
【００４５】
典型的には、アルキルモノアルカノールアミン及びアルキルジアルカノールアミンは、Ａｋｚｏ  Ｎｏｂｅｌから市販されている。
【００４６】
アルキルアルカノールアミンの例には、以下が含まれるが、これらに限定されるものではない：
オレイルジエタノールアミン、ヤシ油から誘導されたジエタノールアミン、及び牛脂から誘導されたジエタノールアミンなど。
【００４７】
有用なアルコキシル化アルキルジアルカノールアミンの例には、ポリオキシプロピレン−、ポリオキシブチレン−アルキルジエタノールアミン又はアルキルジイソプロパノールアミンが含まれる。アルコキシル化アルキルジエタノールアミンが好ましく、プロポキシル化アルキルジエタノールアミンが特に好ましい。アルキルジエタノールアミン部分は、好ましくはアルキルジエタノールアミンであり、より好ましくは、ラウリン酸ジエタノールアミン、カプリン酸ジエタノールアミン、カプリル酸ジエタノールアミン、カプリル酸／カプリン酸ジエタノールアミン、デカン酸ジエタノールアミン、ミリスチン酸ジエタノールアミン、パルミチン酸ジエタノールアミン、ステアリン酸ジエタノールアミン、イソステアリン酸ジエタノールアミン、オレイン酸ジエタノールアミン、リノール酸ジエタノールアミン、オクチルデカン酸ジエタノールアミン、２−ヘプチルウンデカン酸ジエタノールアミン、ヤシ油から誘導されたアルキルジエタノールアミン、牛脂から誘導されたアルキルジエタノールアミン、大豆油から誘導されたアルキルジエタノールアミン、及びパーム核油から誘導されたアルキルジエタノールアミンから誘導される。これらのうち、カプリン酸、リノール酸、ステアリン酸、イソステアリン酸系、及び大豆油又はヤシ油から誘導されたものが好ましい。
【００４８】
好ましいプロポキシル化脂肪酸ジエタノールアミンには、プロポキシル化ビスエトキシカプリルアミン、プロポキシル化ビスエトキシコカミン、プロポキシル化ビスエトキシリノールアミン、プロポキシル化ビスエトキシイソステアラミン、及びこれらの組合せが含まれる。プロポキシル化ビスエトキシコカミンがより好ましい。好ましい具体的な物質は、ＰＰＧ−１ビスエトキシカプリルアミン、ＰＰＧ−２ビスエトキシコカミン、ＰＰＧ−３ビスエトキシリノールアミン、ＰＰＧ−２ビスエトキシイソステアラミン、及びこれらの組合せである。ＰＰＧ−２ビスエトキシコカミンが特に好ましい。
【００４９】
代替的な一実施形態では、アルコキシル化アルキルジイソプロパノールアミンが使用される。アルキルイソプロパノールアミン部分は、好ましくはアルキルジイソプロパノールアミンであり、より好ましくは、ラウリン酸ジイソプロパノールアミン、カプリン酸ジイソプロパノールアミン、カプリル酸ジイソプロパノールアミン、カプリル酸／カプリン酸ジイソプロパノールアミン、デカン酸ジイソプロパノールアミン、ミリスチン酸ジイソプロパノールアミン、パルミチン酸ジイソプロパノールアミン、ステアリン酸ジイソプロパノールアミン、イソステアリン酸ジイソプロパノールアミン、オレイン酸ジイソプロパノールアミン、リノール酸ジイソプロパノールアミン、オクチルデカン酸ジイソプロパノールアミン、２−ヘプチルウンデカン酸ジイソプロパノールアミン、ヤシ油から誘導されたアルキルジイソプロパノールアミン、牛脂から誘導されたアルキルジイソプロパノールアミン、大豆油から誘導されたジイソプロパノールアミン、及びパーム核油から誘導されたアルキルジイソプロパノールアミンから誘導される。
【００５０】
窒素含有反応物は、当該技術分野において周知の方法により調製することができる。アルキルアルカノールアミド及びアルキルアルカノールアミンは、米国特許第４，０８５，１２６号；米国特許第７，４７９，４７３号及び当該技術分野において周知の他の方法にしたがって調製することもでき；Ａｋｚｏ  Ｎｏｂｅｌから購入することもできる。
【００５１】
ホウ素反応物の源
一実施形態では、三酸化ホウ素や、メタホウ酸、オルトホウ酸、四ホウ酸を含むホウ酸、モノ、ジ、又はトリＣ１〜Ｃ６アルキルボラートを含むアルキルボラートといった多様な形態のいずれかなどのホウ素の源が反応において使用される。好ましくは、ホウ酸がホウ素の源として使用される。ホウ酸は、当該技術分野において周知の方法により調製することができる。また、Ａｌｄｒｉｃｈ、Ｆｉｓｈｅｒ  Ｓｃｉｅｎｔｉｆｉｃなどの供給業者から購入することもできる。
【００５２】
ヒドロカルビルポリオール反応物
一実施形態では、ヒドロカルビルポリオール反応物は、少なくとも３個の水酸基を有するヒドロカルビルポリオール成分及びエステルを除いたその誘導体を含む。より好ましくは、ヒドロカルビルポリオール成分は以下の構造を有する：
【化６】
0006290907.tif 000007
式中、ｎは１〜２である。好ましくは、ｎは１である。
【００５３】
本発明において使用することができるその他のヒドロカルビルポリオールの例には、以下が含まれる：
【化７】
0006290907.tif 000008
【００５４】
潤滑油添加剤組成物の製造方法
潤滑油添加剤組成物は、容器に芳香族溶媒と共に窒素含有反応物を装入することにより調製される。好ましくは、窒素含有反応物はビス−エトキシアルキルアミン（アルキルジエタノールアミンとしても知られる）又はビス−エトキシアルキルアミドである。ホウ酸などのホウ素の源を次いで容器に加える。得られた混合物を、水が実質的に除去されて反応が完了するまで還流した後、例えばグリセロール、ペンタエリトリトールなどの、少なくとも３個の水酸基を有するヒドロカルビルポリオールをその混合物に添加する。
【００５５】
一実施形態では、少なくとも３個の水酸基を有するヒドロカルビルポリオールを、ホウ素の源と同時に容器に加える。得られた混合物を次いで２時間還流させる。
【００５６】
好ましくは、窒素含有反応物と、ホウ素の源反応物と、グリセロールとの比は、約１：０．２：０．２から１：２．５：２．５までである。より好ましくは、この比は約１：０．２：０．２から１：１．５：１．５までである。さらにより好ましくは、この比は約１：０．４：０．４から１：１：１までである。最も好ましくは、この比は約１：０．５：０．５から１：０．７５：０．７５までである。
【００５７】
添加剤濃縮物
多くの場合、キャリア液中に本発明の油溶性添加剤組成物の濃縮物を形成することが有利であり得る。これらの添加剤濃縮物は、取扱い、輸送、及び最終的には潤滑剤基油へ配合して最終の潤滑剤を得る便利な方法をもたらす。一般に、本発明の油溶性添加剤濃縮物は、それ自体では最終の潤滑剤として使用可能でないか、適していない。むしろ、油溶性添加剤濃縮物は、潤滑剤基油原液と配合されて、最終の潤滑剤を提供するものである。キャリア液は、本発明の油溶性添加剤を容易に溶液化させて、潤滑剤基油原液中に容易に溶解する油添加剤濃縮物をもたらすことが望ましい。さらに、キャリア液は、例えば、高揮発性、高粘度、ヘテロ原子などの不純物を含むいかなる望ましくない特徴も潤滑剤基油原液に、したがって、究極的には最終の潤滑剤に導入しないことが望ましい。したがって、本発明は、不活性キャリア流体及び、総濃縮物に基づいて２．０重量％から９０重量％までの、本発明による油溶性添加剤組成物を含む油溶性添加剤濃縮物組成物をさらに提供する。この不活性キャリア流体は、潤滑油とすることもできる。
【００５８】
こうした濃縮物は、通常、約２．０重量％から約９０重量％までの、好ましくは１０重量％から５０重量％までの本発明の油溶性添加剤組成物を含有し、さらに、１つ又は複数の当該技術分野において公知であり、後述するその他の添加剤を含有することができる。濃縮物の残部は、実質的に不活性キャリア液である。
【００５９】
潤滑油組成物
本発明の一実施形態では、本発明の油溶性添加剤組成物を潤滑粘度の基油と混合して、潤滑油組成物を形成することができる。潤滑油組成物は、成分中最大の量の潤滑粘度の基油及び少量の上述した本発明の油溶性添加剤組成物を含む。
【００６０】
本発明において使用することができる潤滑油には、多種多様な炭化水素油、例えばナフテン系基油、パラフィン基油、混合基油など、並びにエステルなどの合成油が含まれる。本発明において使用することができる潤滑油には、バイオマス由来の油、例えば植物及び動物由来の油なども含まれる。潤滑油は、単独で使用することもでき、組み合わせて使用することもでき、一般に、４０℃で７から３，３００ｃＳｔまで、通常２０から２０００ｃＳｔまでの範囲の粘度を有する。したがって、基油は、精製パラフィン系基油、精製ナフテン系基油、又は潤滑粘度の合成炭化水素油若しくは非炭化水素油とすることができる。基油は、鉱油及び合成油の混合物とすることもできる。本発明において基油として使用される鉱油には、例えば、パラフィン系油、ナフテン系油、及び潤滑油組成物中に普通に使用されるその他の油が含まれる。合成油には、例えば、炭化水素合成油と合成エステルの両方、並びに所望の粘度を有するこれらの混合物が含まれる。炭化水素合成油には、例えば、エチレンの重合から調製された油、すなわち、ポリアルファオレフィンすなわちＰＡＯ、又はフィッシャートロプシュ法におけるように、一酸化炭素及び水素ガスを使用する炭化水素合成手順から調製された油が含まれ得る。有用な合成炭化水素油には、適切な粘度を有するアルファオレフィンの液体ポリマーが含まれる。同様に、適切な粘度のアルキルベンゼン、例えばジドデシルベンゼンなどを使用することができる。有用な合成エステルには、モノカルボン酸及びポリカルボン酸のエステル、並びにモノヒドロキシアルカノール及びポリオールが含まれる。典型的な例は、アジピン酸ジドデシル、テトラカプロン酸ペンタエリトリトール、アジピン酸ジ−２−エチルヘキシル、セバシン酸ジラウリルなどである。モノ及びジカルボン酸並びにモノ及びジヒドロキシアルカノールの混合物から調製された複合体エステルも使用することができる。鉱油と合成油の混合物もまた有用である。
【００６１】
本発明の油溶性添加剤を含有する潤滑油組成物は、適量の本発明の油溶性添加剤を潤滑油と、慣用の技術により混合することにより調製される。具体的な基油の選択は、潤滑剤の意図した用途及びその他の添加剤の存在に依存する。本発明の潤滑油組成物中の本発明の油溶性添加剤の量は、潤滑油組成物の総重量に基づいて、一般に０．０５から１５重量％まで、好ましくは０．１から１重量％まで、より好ましくは約０．１から０．８重量％まで変動する。
【００６２】
潤滑油組成物は、乗用車エンジン、ヘビーデューティーディーゼルエンジン、天然ガスエンジン、トラクター作動油、マリンディーゼルエンジン、鉄道用ディーゼルエンジンなどにおいて使用することができる。
【００６３】
さらなる添加剤
所望の場合、その他の添加剤を、本発明の潤滑油及び潤滑油濃縮組成物に含ませてもよい。こうした添加剤には、抗酸化剤又は酸化防止剤、分散剤、さび止め剤、抗腐食剤などが含まれる。また、消泡剤、安定化剤、防汚剤、粘着性付与剤、チャター防止剤（ａｎｔｉ−ｃｈａｔｔｅｒ  ａｇｅｎｔ）、滴点向上剤、スクウォーク防止剤（ａｎｔｉ−ｓｑｕａｗｋ  ａｇｅｎｔ）、極圧剤、賦香剤などを含ませてもよい。
【００６４】
以下の添加剤成分は、本発明の潤滑油組成物において有利に使用することができる成分の若干の例である。これらのさらなる添加剤の例は、本発明を例示するために提示されるが、本発明を限定することを意図するものではない。
【００６５】
金属清浄剤
本発明において使用することができる清浄剤には、アルキル又はアルケニル芳香族スルホナート、金属サリチラート、カルシウムフェナート、ホウ酸化スルホナート、多ヒドロキシアルキル又はアルケニル芳香族化合物の硫化又は未硫化金属塩、アルキル又はアルケニルヒドロキシ芳香族スルホナート、硫化又は未硫化アルキル又はアルケニルナフテナート、アルカン酸の金属塩、アルキル又はアルケニル多酸の金属塩、並びにこれらの化学的及び物理的混合物が含まれる。
【００６６】
耐摩耗剤
その名前が示すように、こうした剤は可動性金属部品の摩耗を低減する。そのような剤の例には、亜鉛ジチオホスファート、カルバマート（ｃａｒｂａｒｍａｔｅ）、エステル、及びモリブデン錯体が含まれるが、これらに限定されるものではない。
【００６７】
さび止め剤（抗さび剤）
抗さび剤は、通常は腐食を受ける物質の腐食を低減する。抗さび剤の例には、非イオン性ポリオキシエチレン界面活性剤、例えばポリオキシエチレンラウリルエーテル、ポリオキシエチレン高級アルコールエーテル、ポリオキシエチレンノニルフェニルエーテル、ポリオキシエチレンオクチルフェニルエーテル、ポリオキシエチレンオクチルステアリルエーテル、ポリオキシエチレンオレイルエーテル、モノステアリン酸ポリオキシエチレンソルビトール、モノオレイン酸ポリオキシエチレンソルビトール、及びモノオレイン酸ポリエチレングリコールが含まれるが、これらに限定されるものではない。抗さび剤として有用なその他の化合物には、ステアリン酸及びその他のアルキル、ジカルボン酸、金属石ケン、アルキルアミン塩、重質スルホン酸の金属塩、多価アルコールのカルボン酸部分エステル、及びリン酸エステルが含まれるが、これらに限定されるものではない。
【００６８】
抗乳化剤
抗乳化剤は、エマルションの分離を促進するために使用される。抗乳化剤の例には、ポリエチレングリコールとポリプロピレングリコールのブロックコポリマー、ポリエトキシル化アルキルフェノール、ポリエステルアミド、エトキシル化アルキルフェノール−ホルムアルデヒド樹脂、ポリビニルアルコール誘導体及びカチオン性又はアニオン性高分子電解質が含まれるが、これらに限定されるものではない。異なる種類のポリマーの混合物も使用することができる。
【００６９】
摩擦調整剤
追加の摩擦調整剤を本発明の潤滑油に添加してもよい。摩擦調整剤の例には、脂肪族アルコール、アルキル、アミン、エトキシル化アミン、ホウ酸化エステル、その他のエステル、ホスファート、ホスファイト及びホスホナートが含まれるが、これらに限定されるものではない。
【００７０】
多機能性添加剤
抗酸化及び耐摩耗特性などの複数の特性を有する添加剤もまた、本発明の潤滑油に添加することができる。多機能性添加剤の例には、硫化オキシモリブデンジチオカルバマート、硫化オキシモリブデンオルガノホスホロジチオアート、オキシモリブデンモノグリセリド、オキシモリブデンジエチラートアミド、アミン−モリブデン錯体、及び硫黄含有モリブデン錯体が含まれるが、これらに限定されるものではない。
【００７１】
粘度指数向上剤
粘度調整剤としても知られる粘度指数向上剤は、潤滑油の粘度−温度特性を向上させ、油温が変化しても油の粘度をより安定にする一類の添加剤を含む。粘度指数向上剤を本発明の潤滑油組成物に添加してもよい。粘度指数向上剤の例には、ポリメタクリラート系ポリマー、エチレン−プロピレンコポリマー、スチレン−イソプレンコポリマー、ホスホ硫化ポリイソブチレンのアルカリ土類金属塩、水和スチレン−イソプレンコポリマー、ポリイソブチレン、及び分散剤型粘度指数向上剤が含まれるが、これらに限定されるものではない。
【００７２】
流動点降下剤
流動点降下剤は、潤滑油中のワックス結晶形成を制御して、流動点低下及び低温流動性能向上をもたらすように設計されたポリマーである。流動点降下剤の例には、ポリメチルメタクリラート、エチレン酢酸ビニルコポリマー、ポリエチレンポリマー、及びアルキル化ポリスチレンが含まれるが、これらに限定されるものではない。
【００７３】
発泡防止剤
発泡防止剤は、潤滑油の発泡傾向を低減させるために使用される。発泡防止剤の例には、アルキルメタクリラートポリマー、アルキルアクリラートコポリマー、及びジメチルシロキサンポリマーなどの高分子オルガノシロキサンが含まれるが、これらに限定されるものではない。
【００７４】
金属不活性化剤
金属不活性化剤は金属表面上に膜を形成し、金属が油を酸化させるのを防止する。金属不活性化剤の例には、ジサリチリデンプロピレンジアミン、トリアゾール誘導体、チアジアゾール誘導体、ビスイミダゾールエーテル、及びメルカプトベンゾイミダゾールが含まれるが、これらに限定されるものではない。
【００７５】
分散剤
分散剤は、スラッジ、カーボン、すす、酸化生成物、及びその他の沈着物前駆体を拡散させて、これらが凝固するのを防止し、沈着物形成の低減、油酸化の低減、及び粘度増加の低減をもたらす。分散剤の例には、アルケニルスクシンイミド、他の有機化合物で修飾されたアルケニルスクシンイミド、エチレンカーボネート若しくはホウ酸での後処理により変性されたアルケニルスクシンイミド、アルカリ金属若しくは混合アルカリ金属、アルカリ土類金属ボラート、水和アルカリ金属ボラートの分散物、アルカリ土類金属ボラートの分散物、ポリアミド無灰分散剤など、又はこのような分散剤の混合物が含まれるが、これらに限定されるものではない。
【００７６】
抗酸化剤
抗酸化剤は、金属表面上のスラッジやワニス様沈着物などの酸化生成物の形成を抑制することにより、鉱油が劣化する傾向を低減させる。本発明において有用な抗酸化剤の例には、フェノール型（フェノール）酸化防止剤、例えば４，４’−メチレン−ビス（２，６−ジ−ｔｅｒｔ−ブチルフェノール）、４，４’−ビス（２，６−ジ−ｔｅｒｔ−ブチルフェノール）、４，４’−ビス（２−メチル−６−ｔｅｒｔ−ブチルフェノール）、２，２’−メチレン−ビス（４−メチル−６−ｔｅｒｔ−ブチルフェノール）、４，４’−ブチリデン−ビス（３−メチル−６−ｔｅｒｔ−ブチルフェノール）、４，４’−イソプロピリデン−ビス（２，６−ジ−ｔｅｒｔ−ブチルフェノール）、２，２’−メチレン−ビス（４−メチル−６−ノニルフェノール）、２，２’−イソブチリデン−ビス（４，６−ジメチルフェノール）、２，２’−５−メチレン−ビス（４−メチル−６−シクロヘキシルフェノール）、２，６−ジ−ｔｅｒｔ−ブチル−４−メチルフェノール、２，６−ジ−ｔｅｒｔ−ブチル−４−エチルフェノール、２，４−ジメチル−６−ｔｅｒｔ−ブチル−フェノール、２，６−ジ−ｔｅｒｔ−ｌ−ジメチルアミノ−ｐ−クレゾール、２，６−ジ−ｔｅｒｔ−４−（Ｎ，Ｎ’−ジメチルアミノメチルフェノール）、４，４’−チオビス（２−メチル−６−ｔｅｒｔ−ブチルフェノール）、２，２’−チオビス（４−メチル−６−ｔｅｒｔ−ブチルフェノール）、ビス（３−メチル−４−ヒドロキシ−５−ｔｅｒｔ−１０−ブチルベンジル）−スルフィド、ビス（３，５−ジ−ｔｅｒｔ−ブチル−４−ヒドロキシベンジル）などが含まれるが、これらに限定されるものではない。ジフェニルアミン型酸化防止剤には、アルキル化ジフェニルアミン、フェニル−アルファ−ナフチルアミン、及びアルキル化アルファ−ナフチルアミンが含まれるが、これらに限定されるものではない。その他の種類の酸化防止剤には、金属ジチオカルバマート（例えば、亜鉛ジチオカルバマート）、及びメチレンビス（ジブチルジチオカルバマート）が含まれる。
【００７７】
用途
本明細書において開示された油溶性添加剤組成物を含有する潤滑油組成物は、潤滑油の摩擦特性を調整するための流体及びグリース組成物のどちらとしても効果的であり、その潤滑油はクランクケース潤滑剤として使用すると、本発明の潤滑油で潤滑されているエンジンの燃料節約の向上をもたらす。
【００７８】
本発明の潤滑油組成物は、天然ガスエンジン油、クロスヘッドディーゼルエンジンなどにおけるマリンシリンダー潤滑剤、自動車及び鉄道などにおけるクランクケース潤滑剤、製鋼所などの重機用の潤滑剤、又は軸受用グリースなどとして使用することができる。潤滑剤が流体であるか固体であるかは、通常、増粘剤が存在するかどうかに依存する。典型的な増粘剤には、ポリウレアアセテート、ステアリン酸リチウムなどが含まれる。
【００７９】
以下の例は本発明の具体的な実施形態を例示するために提示され、決して本発明の範囲を限定するものと解釈されるべきではない。
【実施例】
【００８０】
（例１）
ビス−エトキシオレイルアミンとグリセロールの混合ホウ酸エステル
フラスコに、ビス−エトキシオレイルアミン６グラム及びトルエン１０ミリリットルを仕込んだ。ホウ酸１．０４グラムをその溶液に添加した。得られた混合物を２時間還流した後、グリセロール１．５４グラムをフラスコに加えた。ビス−エトキシルオレイルアミン、ホウ酸及びグリセロールを、１：１：１の比で添加した。還流を一夜継続した。トルエンを減圧下で除去して、生成物を得た。
【００８１】
或いは、ホウ酸の添加を行う際にグリセロールを添加することもできる。この混合物を一夜還流する。トルエンを減圧下で除去して、生成物を得る。
【００８２】
（例２〜４）
ビス−エトキシコカミドとグリセロールの混合ホウ酸エステル
混合物を例１にしたがって調製した。その反応において、ビス−エトキシオレイルアミンの代わりにビス−エトキシコカミドを使用した。さらに、ビス−エトキシコカミド：グリセロール：ホウ酸の比をいろいろに変えて合成した。比には、２：１：１、１：１：１及び１：２：２のビス−エトキシコカミド：グリセロール：ホウ酸が含まれる。
【００８３】
（例５）
ジプロポキシル化オレイルアミンとグリセロール
フラスコに、Ａｋｚｏ  Ｎｏｂｅｌから購入したＰｒｏｐｙｌｍｅｅｎ  Ｏ／１２  １００グラム、ホウ酸２４．２ｇ、及びグリセロール３６．２ｇを、それぞれ、１．０：１．５：１．５当量で仕込んだ。その混合物を１１０℃に加熱し、家庭用電気掃除機による減圧（ｈｏｕｓｅ  ｖａｃｕｕｍ）及び窒素ブランケット下で３時間保持した。ディーンスタークトラップを使用して、水を収集した。その生成物をＭａｚｄａスクリーナーで試験した。
【００８４】
（例６）
ポリプロポキシル化ビスエトキシコカミドとグリセロール
フラスコに、ポリプロポキシル化ビスエトキシコカミド５０ｇ、ホウ酸３．８７ｇ、及びグリセロール５．７５ｇを、それぞれ、１：０．７５：０．７５当量で仕込んだ。その混合物を１１０℃に加熱し、家庭用電気掃除機による減圧及び窒素ブランケット下で３時間保持した。ディーンスタークトラップを使用して、水を収集した。反応の終了時点で、その生成物をＭａｚｄａスクリーナーで試験した。
【００８５】
（例７）
ヤシ油から誘導されたジエタノールアミド、ホウ酸、ペンタエリトリトール
フラスコに、ヤシ油から誘導されたジエタノールアミド５０グラム、ホウ酸５．０６ｇ、及びペンタエリトリトール１１．１６ｇを、それぞれ、１．０：０．５：０．５当量で仕込んだ。その混合物を１１０℃に加熱し、家庭用電気掃除機による減圧及び窒素ブランケット下で３時間保持した。ディーンスタークトラップを使用して、水を収集した。その生成物をＭａｚｄａスクリーナーで試験した。
【００８６】
（例Ａ（比較））
ビス−エトキシオレイルアミンとブタノールの混合ホウ酸エステル
混合物を例１にしたがって調製した。その反応において、グリセロールの代わりにブタノールを使用した。
【００８７】
（例Ｂ（比較））
ビス−エトキシコカミドと１−ヘキサノールの混合ホウ酸エステル
混合物を例１にしたがって調製した。アミン反応物の代わりにビス−エトキシコカミドを使用し、グリセロールの代わりに１−ヘキサノールを使用した。
【００８８】
（例Ｃ（比較））
ビス−エトキシオレイルアミンと１−ヘキサノールの混合ホウ酸エステル
混合物を例１にしたがって調製した。グリセロールの代わりに１−ヘキサノールを使用した。
【００８９】
（例Ｄ（比較））
ビス−エトキシコカミド、アルコールなし
フラスコに、ビス−エトキシコカミド６グラム及びトルエン１０ミリリットルを仕込んだ。ホウ酸１．０４グラムをその溶液に添加した。その混合物を２時間還流した。トルエンを減圧下で除去して、生成物を得た。
【００９０】
（例Ｅ（比較））
ビス−エトキシ牛脂アミン、アルコール共ホウ酸化なし
混合物を比較例Ｄにしたがって調製した。ビス−エトキシコカミドの代わりにビス−エトキシ牛脂アミンを使用した。
【００９１】
（例Ｆ（比較））
例ＦはＰｒｏｐｙｌｍｅｅｎ  Ｏ／１２（プロポキシル化アミン）である。
【００９２】
（例Ｇ（比較））
例Ｇはポリプロポキシル化ジエタノールアミドである。
【００９３】
（例Ｈ（比較））
例Ｈはヤシ油から誘導されたジエタノールアミドである。
【００９４】
例１〜７及び比較例Ａ〜ＨについてのＭａｚｄａ試験スクリーナーの結果を表５にまとめる。
【００９５】
ミニトラクション摩擦試験機（Ｍｉｎｉ−Ｔｒａｃｔｉｏｎ  Ｍａｃｈｉｎｅ）により測定された摩擦低減
例１及び３並びに比較例Ａ〜Ｃにおいて調製した潤滑油添加剤を、摩擦低減特性についてミニトラクション摩擦試験機（ＭＴＭ）ベンチテストで評価した。
【００９６】
ベンチ摩擦計を使用して２つのベースラインを試験した。各ベースライン内で、試験した潤滑剤は全て、摩擦調整剤を除いて、分散剤、清浄剤、亜鉛ジアルキルジチオホスファート、抗酸化剤、ポリメタクリラート流動点降下剤、及びオレフィンコポリマー粘度指数向上剤を含む、同一の量の添加剤（「ベースライン添加剤パッケージ」）を含有した。
【００９７】
本発明の摩擦調整剤（例１〜３）及び比較例の摩擦調整剤（比較例Ａ〜Ｃ）を１重量％のトリート率で添加した。
【００９８】
上述の組成物をミニトラクション摩擦試験機（ＭＴＭ）ベンチテストで摩擦性能について試験した。ＭＴＭは、ＰＣＳ  Ｉｎｓｔｒｕｍｅｎｔｓ製であり、回転ディスク（５２１００鋼）に対して負荷されたボール（０．７５インチ径の８６２０鋼製ボール）で働く。その条件は、およそ１０〜３０ニュートンの荷重、およそ１０〜２０００ｍｍ／ｓの速度及びおよそ１２５〜１５０℃の温度を使用する。このベンチテストでは、摩擦性能は、生成された第２ストライベック曲線下総面積として測定される。総面積値が低いほど、摩擦性能がより良好である。
【表１】
0006290907.tif 000009
【００９９】
乗用車エンジン油中に使用したとき、本発明の摩擦調整剤（例１）を配合した潤滑油組成物は、公知の混合ホウ酸エステルを配合した潤滑油組成物（比較例Ａ）よりも良好な摩擦低減を有した。
【表２】
0006290907.tif 000010
【０１００】
表２は、ヘビーデューティーディーゼルエンジン油中に使用したとき、本発明の摩擦調整剤（例３）を配合した潤滑油組成物が、公知の混合ホウ酸エステル（比較例Ｂ及びＣ）を配合した潤滑油組成物より良好な摩擦低減を有することを示す。
【０１０１】
（比較例Ｉ）
多窒素アミドグリセロールボラート
調製：
フラスコに、イソステアリン酸５．２グラム、Ｎ，Ｎ−ビス（２−ヒドロキシエチル）エチレンジアミン二塩酸塩４グラム及びＫ２ＣＯ３２．５ｇを、それぞれ、１．０：１．０：１．０当量で仕込んだ。その混合物を１５０℃に加熱し、水冷却器及び窒素ブランケット下で一夜保持した。その反応混合物を次いで酢酸エチルで希釈し、ブラインで洗浄し、硫酸ナトリウムで乾燥させ、ロータリーエバポレーターにかけて、生じた生成物を得た。
【０１０２】
（例９）
フラスコに、例８における生成物２ｇ、ホウ酸０．２２ｇ及びグリセロール０．３３ｇを、それぞれ、１．０：０．７５：０．７５当量で仕込んだ。その混合物を１１０℃に加熱し、窒素ブランケット下で３時間保持した。反応の終了時点で、その生成物を収集し、ミニトラクション摩擦試験機で分析した。
【０１０３】
比較例Ｉ及び例９をＭＴＭで評価した。結果を表３にまとめる。
【表３】
0006290907.tif 000011
【０１０４】
（例１０）
フラスコに、Ｅｔｈｏｄｕｏｍｅｅｎ  Ｔ／１３  ５０．７６グラム、ホウ酸３．３５グラム、及びグリセロール５．０４グラムを、それぞれ、１．０：０．５：０．５当量で仕込んだ。その混合物を１１０℃に加熱し、家庭用電気掃除機による減圧及び窒素ブランケット下で３時間保持した。ディーンスタークトラップを使用して、水を収集した。反応の終了時点で、その生成物をＭＴＭで評価した。
【０１０５】
ＥｔｈｏｄｕｏｍｅｅｎはＡｋｚｏ  Ｎｏｂｅｌから購入することができ、以下の構造を有する：
【化８】
0006290907.tif 000012
【０１０６】
Ｅｔｈｏｄｕｏｍｅｅｎ  Ｔ／１３（比較例１０）もＭＴＭで評価した。
【表４】
0006290907.tif 000013
【０１０７】
Ｍａｚｄａスクリーナー
例２〜４及び比較例Ｄにおいて調製した潤滑油添加剤を、Ｍａｚｄａスクリーナーで燃料節約特性について評価した。
【０１０８】
配合された潤滑油組成物は全て、摩擦調整剤を除いて、分散剤、清浄剤、亜鉛ジアルキルジチオホスファート、抗酸化剤、ポリメタクリラート流動点降下剤、及びオレフィンコポリマー粘度指数向上剤を含む、同一の量の添加剤（「ベースライン添加剤パッケージ」）を含有した。
【０１０９】
このベースライン配合物に本発明及び比較例の摩擦調整剤を、０．５重量％のトップトリートとして添加した例４を除き、１重量％のトップトリートとして添加した。
【表５】
0006290907.tif 000014
【０１１０】
異なる有機摩擦調整剤を含有する潤滑油組成物の燃料節約性能を評価した。Ｖ−６  ２．５Ｌエンジンを、１４００回転／分の回転速度及び約１０７〜１２０℃の温度で運転するよう調整した。最初に３回の高洗浄油フラッシュを２０分間ずつエンジン中に通した。次いで摩擦調整剤を含まないベースライン潤滑剤配合物を含有する潤滑剤でエンジンを２時間運転した。２時間後、ベースライン添加剤パッケージを含有する潤滑油３０グラムを０．５重量％の摩擦調整剤でトップ処理して、特別に適合したオイルフィルキャップからエンジンに加えた。エンジンを２時間安定化させた。
【０１１１】
正味燃料消費率（ＢＳＦＣ：ｂｒａｋｅ  ｓｐｅｃｉｆｉｃ  ｆｕｅｌ  ｃｏｎｓｕｍｐｔｉｏｎ）を、トップ処理した潤滑油組成物の添加前の１時間の期間についてＢＳＦＣを平均化し、トップ処理した潤滑油組成物の添加直後の２時間の期間についてＢＳＦＣを平均化することにより評価した。結果を、トップ処理した潤滑油組成物の添加前の１時間のＢＳＦＣと、トップ処理した潤滑油組成物の添加後の２時間のＢＳＦＣの間のＢＳＦＣの変化として報告する。結果を２回の運転の平均として報告する。負の値が大きいほど燃料節約の利益は高い。この評価の結果を下表に示す。
【表６】
0006290907.tif 000015
【０１１２】
混合ホウ酸エステル中の成分間の比を変動させることで、燃料節約性が変化することに着目することは興味深い。もしも１％のトリート率で測定したら、例４が全体で最良の燃料節約を有したであろうと思われる。
【０１１３】
本発明の混合ホウ酸エステルにより、０．５％及び１％のトリート率でトップ処理された潤滑油組成物は、公知の摩擦調整剤である比較例Ｄでトップ処理された潤滑油組成物に比べて向上した燃料節約を示す。
【０１１４】
Ｄ１２Ｄ  ＦＥ
例１及び３並びに比較例Ｅで調製した潤滑油添加剤を、本発明の摩擦調整剤及び比較の摩擦調整剤を使用した場合のディーゼルエンジン油における燃料節約の利益について評価した。
【０１１５】
試験した潤滑油組成物は全て、摩擦調整剤を除いて、分散剤、清浄剤、亜鉛ジアルキルジチオホスファート、抗酸化剤、ポリメタクリラート流動点降下剤、及びオレフィンコポリマー粘度指数向上剤を含む、同一の量の添加剤（「ベースライン添加剤パッケージ」）を含有した。
【０１１６】
本発明の２種の摩擦調整剤をベースライン潤滑油組成物に１重量％のトップトリートで添加した。比較の摩擦調整剤をベースライン潤滑油組成物に２重量％のトップトリートで添加した。
【０１１７】
上述の潤滑油組成物を、Ｖｏｌｖｏ  Ｄ１２Ｄ燃料節約（Ｄ１２ＤＦＥ）エンジン試験手順（Ｗ．ｖａｎ  Ｄａｍ、Ｐ．Ｋｌｅｉｊｗｅｇｔ、Ｍ．Ｔｏｒｒｅｍａｎ、及びＧ．Ｐａｒｓｏｎｓ「ヘビーデューティーディーゼルエンジンにおける燃料節約向上に対する潤滑剤の寄与（Ｔｈｅ  Ｌｕｂｒｉｃａｎｔ  Ｃｏｎｔｒｉｂｕｔｉｏｎ  ｔｏ  Ｉｍｐｒｏｖｅｄ  Ｆｕｅｌ  Ｅｃｏｎｏｍｙ  ｉｎ  Ｈｅａｖｙ  Ｄｕｔｙ  Ｄｉｅｓｅｌ  Ｅｎｇｉｎｅｓ）」ＳＡＥ  Ｐａｐｅｒ  ２００９−０１−２８５６参照）にしたがって燃料節約性能について試験した。
【表７】
0006290907.tif 000016
【０１１８】
Ｄ１２Ｄ  ＦＥでは、負の値が大きいほど燃料節約の利益は高い。本発明の摩擦調整剤（例１及び３）が配合された潤滑油組成物は、丘陵地及び平地の両方における燃料節約に関して、グリセロール及びホウ酸と反応させていない、公知の摩擦調整剤であるビス−エトキシ牛脂アミン（比較例Ｅ）が配合された潤滑油組成物に比べ顕著な向上を示す。